(57)【要約】【課題】撮影のためのポジショニングをした後でもバッテリの交換がしやすい可搬型放射線画像検出装置を提供する。【解決手段】電子カセッテ１３の筐体２６には、２つのバッテリ装着部２８，２９が設けられている。バッテリ装着部２８，２９は、筐体２６の略矩形をなす平面において対角位置に配置されている。バッテリ装着部２８，２９の取り出し口２８ｂ，２９ｂは、ほぼ直交する２つの側面にそれぞれ形成されており、各取り出し口２８ｂ，２９ｂの奥にはソケット３４が設けられている。これにより、２つの側面からバッテリユニット２７の着脱が可能となる。撮影部位に合わせて被検者と電子カセッテ１３の相対的な位置や姿勢を決めるポジショニングが行われた場合において、取り出し口２８ｂ，２９ｂの一方が被検者の体によって塞がれても、他方を通じてバッテリ交換が行われる。【選択図】図４
2012063341.tif 000002
【特許請求の範囲】
【請求項１】
被検体を透過した放射線の照射を受けて放射線画像を検出する検出部と、
前記検出部を収容し、前記放射線の照射を受ける平面の形状が略矩形である筐体と、
前記筐体に設けられ、前記検出部へ電力を供給するバッテリユニットが着脱自在に装着されるバッテリ装着部とを備えており、
前記バッテリ装着部は、前記バッテリユニットを収納し、前記バッテリユニットを着脱するための取り出し口を有する少なくとも１つのバッテリ収納部と、前記バッテリ収納部に収納された前記バッテリユニットと電気的に接続される第１及び第２の少なくとも２つの接続部であり、それぞれが異なる向きで配置される、又は前記平面の一辺の両端部に同じ向きで配置される、第１及び第２の接続部とからなることを特徴とする可搬型放射線画像検出装置。
【請求項２】
前記取り出し口は、前記筐体の１つの面に形成された開口、又は前記筐体の直交する２つ以上の面の一部を切り欠いて形成された切り欠きであることを特徴とする請求項１記載の可搬型放射線画像検出装置。
【請求項３】
前記第１及び第２の接続部は、異なる２方向から前記バッテリユニットの着脱が可能なように、それぞれ異なる向きで配置されていることを特徴とする請求項１又は２記載の可搬型放射線画像検出装置。
【請求項４】
前記筐体は、前記平面の各辺に沿って延びる４つの側面を有しており、
前記異なる２方向は、前記４つの側面のうちの２つの側面に対応する方向であることを特徴とする請求項３記載の可搬型放射線画像検出装置。
【請求項５】
前記２つの側面は、互いに直交する第１側面及び第２側面であることを特徴とする請求項４記載の可搬型放射線画像検出装置。
【請求項６】
前記平面は長方形であり、前記第１側面は、前記平面の長辺に沿って延びる側面であり、前記第２側面は、前記平面の短辺に沿って延びる側面であることを特徴とする請求項５記載の可搬型放射線画像検出装置。
【請求項７】
前記バッテリ装着部は、第１及び第２の２つのバッテリ装着部を有しており、
前記第１バッテリ装着部は、前記第１接続部と、前記第１接続部が配置される前記バッテリ収納部である第１バッテリ収納部とからなり、
前記第２バッテリ装着部は、前記第２接続部と、前記第２接続部が配置される前記バッテリ収納部である第２バッテリ収納部とからなることを特徴とする請求項４〜６のいずれか１項に記載の可搬型放射線画像検出装置。
【請求項８】
前記第１及び第２バッテリ装着部のそれぞれの前記取り出し口は、前記平面において対角をなす位置に配置されていることを特徴とする請求項７記載の可搬型放射線画像検出装置。
【請求項９】
前記第１及び第２バッテリ収納部の少なくとも１つは、前記バッテリユニットの着脱方向が異なる複数の取り出し口を有することを特徴とする請求項７又は８に記載の可搬型放射線画像検出装置。
【請求項１０】
前記バッテリ装着部は１つであり、
前記第１及び第２の２つの接続部が配置される１つの前記バッテリ収納部を有することを特徴とする請求項４〜６のいずれか１項に記載の可搬型放射線画像検出装置。
【請求項１１】
前記バッテリ装着部は、前記平面の４つの頂点のいずれかに対応する角部に配置されていることを特徴とする請求項１０記載の可搬型放射線画像検出装置。
【請求項１２】
前記第１及び第２の２つの接続部は、前記バッテリ収納部内において、互いにほぼ直交する向きに配置されていることを特徴とする請求項１１記載の可搬型放射線画像検出装置。
【請求項１３】
前記バッテリ装着部は、細長形状の前記バッテリユニットを装着可能であり、前記取り出し口は、前記バッテリユニットを、その短辺方向の面から着脱可能であることを特徴とする請求項１〜１２のいずれか１項に記載の可搬型放射線画像検出装置。
【請求項１４】
前記筐体は、国際規格ＩＳＯ４０９０：２００１に準拠したサイズであることを特徴とする請求項１〜１３のいずれか１項に記載の可搬型放射線画像検出装置。
【請求項１５】
前記バッテリ収納部は、前記バッテリユニットを前記筐体の外周面から突出しない状態で収納可能であることを特徴とする請求項１〜１４のいずれか１項に記載の可搬型放射線画像検出装置。
【請求項１６】
前記バッテリ装着部から前記バッテリユニットが取り外されたときに、前記バッテリユニットの代わりに前記電力を供給する予備バッテリを備えていることを特徴とする請求項１〜１５のいずれか１項に記載の可搬型放射線画像検出装置。
【請求項１７】
前記バッテリユニットが前記バッテリ装着部に装着されていないときに、前記取り出し口を塞ぐ開閉自在な蓋を有していることを特徴とする１〜１６のいずれか１項に記載の可搬型放射線画像検出装置。
【請求項１８】
前記バッテリ収納部には、前記バッテリユニットに設けられた凹部又は凸部と係合して、前記バッテリユニットを着脱方向にガイドするガイド部を有していることを請求項１〜１７のいずれか１項に記載の可搬型放射線画像検出装置。
【請求項１９】
前記バッテリ装着部は、前記第１及び第２の各接続部にそれぞれ接続される２つのバッテリユニットを同時に装着可能であり、
操作信号の入力により、前記２つのバッテリユニットのうち指定されたバッテリユニットが優先的に使用されるように設定を行う優先設定手段を備えていることを特徴とする請求項１〜１８のいずれか１項に記載の可搬型放射線画像検出装置。
【請求項２０】
前記優先設定手段により設定されたバッテリユニットを表示するインジケータを備えていることを特徴とする請求項１９に記載の可搬型放射線画像検出装置。
【請求項２１】
前記バッテリ装着部は、前記バッテリ収納部内の前記バッテリユニットを取り出し口に向けて付勢する付勢手段と、
前記付勢手段に抗して前記バッテリユニットが装着位置まで押し込まれたときに前記バッテリユニットと係合して前記バッテリユニットの位置を固定するラッチ機構を備えていることを特徴とする請求項１〜２０のいずれか１項に記載の可搬型放射線画像検出装置。
【請求項２２】
前記バッテリユニットには無線通信部が設けられており、
前記無線通信部を制御して、前記検出部で検出した前記放射線画像を外部に出力させる制御部を備えていることを特徴とする請求項１〜２１のいずれか１項に記載の可搬型放射線画像検出装置。
【請求項２３】
前記筐体は、少なくとも１つの前記側面が外部に露呈された状態で、立位姿勢又は臥位姿勢の被検体を撮影するための撮影台に着脱自在に取り付け可能であることを特徴とする請求項１〜２２のいずれか１項に記載の可搬型放射線画像検出装置。
【発明の詳細な説明】
【技術分野】
【０００１】
本発明は、被検体を透過した放射線の照射を受けて放射線画像を検出する可搬型放射線画像検出装置に関する。
【背景技術】
【０００２】
医療分野において、放射線、例えば、Ｘ線を利用したＸ線撮影装置が知られている。Ｘ線撮影装置は、Ｘ線を発生するＸ線源と、Ｘ線源が発生し被検体（Ｘ線検査を受ける患者など）を透過したＸ線の照射を受けて、被検体の画像情報を表すＸ線画像を検出するＸ線画像検出装置とからなる。Ｘ線画像検出装置としては、ＴＦＴ（Thin film transistor）アクティブマトリクス基板上にＸ線感応層を配置し、Ｘ線画像を表すＸ線の強度分布をデジタルデータに変換して出力するＦＰＤ（flat panel detector）を利用したものが実用化されている。Ｘ線画像検出装置には、立位姿勢の被検者を撮影するための立位撮影台や臥位姿勢の被検者を撮影するための臥位撮影台にＦＰＤが内蔵された据え置き型のものの他、Ｘ線の照射を受ける平面の形状がほぼ矩形の偏平な略直方体形状のカセッテタイプの筐体にＦＰＤが内蔵された可搬型のＸ線画像検出装置（以下「電子カセッテ」ともいう）も開発されている。
【０００３】
電子カセッテは、据え置き型では撮影しにくい部位（例えば、肘や膝などの関節）の撮影に用いられる他、撮影室までの移動が困難な被検者を、病室の寝台に寝かせた状態で撮影したり、緊急時には車椅子に乗せた状態で撮影するために用いられる。撮影の準備作業においては、電子カセッテを被検者の撮影部位にあてがい、電子カセッテの位置や姿勢に応じて被検者の姿勢を整えることで、電子カセッテと被検者の相対的な位置決め（ポジショニング）が行われる。
【０００４】
電子カセッテに電源ケーブルや通信ケーブルが取り付けられていると、ポジショニングがしにくく、ポジショニングの自由度も低下する。そのため、バッテリによる駆動を可能にするとともに、コンソールなどの外部装置との間での通信を無線化して、電源ケーブルや通信ケーブルを不要としたワイヤレスタイプの電子カセッテが提案されている（例えば、特許文献１〜４参照）。
【０００５】
特許文献１〜４に記載の電子カセッテは、バッテリ駆動が可能であり、バッテリは交換できるように筐体に着脱自在に設けられている。バッテリの交換ができると、バッテリの残量がなくなっても充電済みのバッテリと交換すれば電子カセッテの使用を直ちに再開することができる。
【０００６】
特許文献１に記載の電子カセッテは、筐体の側面にバッテリの取り出し口が１つ設けられている。特許文献２に記載の電子カセッテは、バッテリを収容した増設部が筐体の１つの側面に着脱自在に取り付けられるようになっており、増設部を取り外すことによりバッテリの交換が可能である。
【０００７】
特許文献３に記載の電子カセッテは、筐体の１つの角部に切り欠きが形成されており、この切り欠きがバッテリ装着部の取り出し口になっている。特許文献３に記載の電子カセッテは、バッテリ装着部に装着されるメインバッテリの他に、筐体に内蔵された予備バッテリを備えており、メインバッテリの交換中は予備バッテリからの給電により電子カセッテを動作させることにより、起動中のバッテリの交換、いわゆるホットスワップ（バッテリの活線挿抜）を可能としている。
【０００８】
特許文献４に記載の電子カセッテも、１つのバッテリを交換中にもう１つのバッテリから給電を行ってホットスワップを可能にするために２つの交換可能なバッテリを備えている。特許文献４に記載の電子カセッテは、２つのバッテリがそれぞれ着脱される２つの取り出し口を有しており、２つの取り出し口は筐体の１辺の中央部に近接した状態で並べて配置されている。
【先行技術文献】
【特許文献】
【０００９】
【特許文献１】特開２００７−３３３３８０号公報
【特許文献２】特開２００３−２４８０６０号公報
【特許文献３】特開２００１−２２４５７９号公報
【特許文献４】特開２００８−１４２０９３号公報
【発明の概要】
【発明が解決しようとする課題】
【００１０】
しかしながら、上記従来の電子カセッテは、撮影準備においてポジショニングをした後、被検者や電子カセッテの姿勢を崩すことなくバッテリを交換することが難しいという問題がある。
【００１１】
というのは、特許文献１から３に記載の電子カセッテは、バッテリの取り出し口が１箇所であり、かつ、バッテリの着脱方向が１方向であるため、ポジショニング後の被検者や電子カセッテの姿勢によって、バッテリの取り出し口や取り出し口にアクセスするための経路が被検者の体で塞がれてしまうと、いったんポジショニングした姿勢を崩してバッテリを交換せざるを得ない。
【００１２】
特許文献４に記載の電子カセッテは、バッテリの取り出し口は２つあるが、２つの取り出し口が筐体の一辺の中央部に近接して配置されているので、被検者の体によって一方の取り出し口が塞がれてしまった場合には、もう一方の取り出し口も塞がれてしまう可能性が高い。そのため、特許文献４に記載の電子カセッテは、２つの取り出し口を有するものの、それらはほぼ同じ場所に設けられているため、特許文献１に記載の電子カセッテのように、取り出し口が１箇所に設けられている電子カセッテと実質的に同じであり、特許文献１と同様の問題がある。
【００１３】
被検者や電子カセッテの姿勢を崩すと、再度ポジショニングをやり直さなければならないため、煩雑である。また、急患の対応など一刻を争う場合には、ポジショニングをやり直す時間も惜しい。特許文献１〜４には、これらの問題及びその解決策について明示も示唆もなく、なんら考慮されていない。
【００１４】
本発明は、上記課題を鑑みてなされたものであり、目的は、撮影可能な状態にポジショニングした後でもバッテリの交換がしやすい可搬型放射線画像検出装置を提供することである。
【課題を解決するための手段】
【００１５】
本発明の可搬型放射線画像検出装置は、被検体を透過した放射線の照射を受けて放射線画像を検出する検出部と、前記検出部を収容し、前記放射線の照射を受ける平面の形状が略矩形である筐体と、前記筐体に設けられ、前記検出部へ電力を供給するバッテリユニットが着脱自在に装着されるバッテリ装着部とを備えている。前記バッテリ装着部は、前記バッテリユニットを収納し、前記バッテリユニットを着脱するための取り出し口を有する少なくとも１つのバッテリ収納部と、前記バッテリ収納部に収納された前記バッテリユニットと電気的に接続される第１及び第２の少なくとも２つの接続部とを有する。第１及び第２の接続部は、それぞれが異なる向きで配置される、又は前記平面の一辺の両端部に同じ向きで配置される。
【００１６】
異なる向きの第１及び第２の少なくとも２つの接続部を有するため、被検体との相対的な位置を合わせるポジショニングを行った後でも、ポジショニングした姿勢によって一方の接続部が使えない場合には別の向きに配置された他方の接続部を使うというようにいずれかの接続部を使ってバッテリの交換を行うことができる。このため、ポジショニングした姿勢を崩すことなくバッテリの交換がしやすい。
【００１７】
また、筐体の平面の一辺の両端部に同じ向きで第１及び第２の接続部を有する場合でも、第１及び第２の接続部は、筐体の一辺に近い距離だけ間隔を空けて配置されるので、ポジショニングした姿勢によって一方の接続部が使えない場合に他方の接続部を使ってバッテリの交換を行うことができる。このため、第１及び第２の接続部を異なる向きで配置した場合と同様に、ポジショニングした姿勢を崩すことなくバッテリの交換がしやすい。
【００１８】
前記取り出し口は、例えば、前記筐体の１つの面に形成された開口、又は前記筐体の直交する２つ以上の面の一部を切り欠いて形成された切り欠きである。
【００１９】
前記第１及び第２の接続部は、例えば、異なる２方向から前記バッテリユニットの着脱が可能なように、それぞれ異なる向きで配置されている。この場合には、前記筐体は、前記平面の各辺に沿って延びる４つの側面を有しており、前記異なる２方向は、前記４つの側面のうちの２つの側面に対応する方向であることが好ましい。さらに、前記２つの側面は、互いに直交する第１側面及び第２側面であることが好ましい。前記平面は、例えば長方形であり、前記第１側面は、前記平面の長辺に沿って延びる側面であり、前記第２側面は、前記平面の短辺に沿って延びる側面である。
【００２０】
前記バッテリ装着部は、例えば第１及び第２の２つのバッテリ装着部を有しており、前記第１バッテリ装着部は、前記第１接続部と、前記第１接続部が配置される前記バッテリ収納部である第１バッテリ収納部とからなり、前記第２バッテリ装着部は、前記第２接続部と、前記第２接続部が配置される前記バッテリ収納部である第２バッテリ収納部とからなる。
【００２１】
前記第１及び第２バッテリ装着部のそれぞれの前記取り出し口は、前記平面において対角をなす位置に配置されていることが好ましい。
【００２２】
前記第１及び第２バッテリ収納部の少なくとも１つは、前記バッテリユニットの着脱方向が異なる複数の取り出し口を有していてもよい。
【００２３】
前記バッテリ装着部は１つであり、前記第１及び第２の２つの接続部が配置される１つの前記バッテリ収納部を有していてもよい。この場合には、前記バッテリ装着部は、前記平面の４つの頂点のいずれかに対応する角部に配置されていることが好ましい。さらに、前記第１及び第２の２つの接続部は、前記バッテリ収納部内において、互いにほぼ直交する向きに配置されていることが好ましい。
【００２４】
前記バッテリ装着部が細長形状の前記バッテリユニットを装着可能である場合には、前記取り出し口は、前記バッテリユニットを、その短辺方向の面から着脱可能であることが好ましい。
【００２５】
前記筐体は、国際規格ＩＳＯ４０９０：２００１に準拠したサイズであることが好ましい。
【００２６】
前記バッテリ収納部は、前記バッテリユニットを前記筐体の外周面から突出しない状態で収納可能であることが好ましい。
【００２７】
前記バッテリ装着部から前記バッテリユニットが取り外されたときに、前記バッテリユニットの代わりに前記電力を供給する予備バッテリを備えていてもよい。
【００２８】
前記バッテリユニットが前記バッテリ装着部に装着されていないときに、前記取り出し口を塞ぐ開閉自在な蓋を有していてもよい。
【００２９】
前記バッテリ収納部には、前記バッテリユニットに設けられた凹部又は凸部と係合して、前記バッテリユニットを着脱方向にガイドするガイド部を有していてもよい。
【００３０】
前記バッテリ装着部は、例えば前記第１及び第２の各接続部にそれぞれ接続される２つのバッテリユニットを同時に装着可能であり、操作信号の入力により、前記２つのバッテリユニットのうち指定されたバッテリユニットが優先的に使用されるように設定を行う優先設定手段を備えていてもよい。この場合は、前記優先設定手段により設定されたバッテリユニットを表示するインジケータを備えていることが好ましい。
【００３１】
前記バッテリ装着部は、前記バッテリ収納部内の前記バッテリユニットを取り出し口に向けて付勢する付勢手段と、前記付勢手段に抗して前記バッテリユニットが装着位置まで押し込まれたときに前記バッテリユニットと係合して前記バッテリユニットの位置を固定するラッチ機構を備えていてもよい。
【００３２】
前記バッテリユニットは無線通信部を有しており、前記無線通信部を制御して、前記検出部で検出した前記放射線画像を外部に出力させる制御部を備えていてもよい。
【００３３】
前記筐体は、少なくとも１つの前記側面が外部に露呈された状態で、立位姿勢又は臥位姿勢の被検体を撮影するための撮影台に着脱自在に取り付け可能であることが好ましい。
【発明の効果】
【００３４】
本発明によれば、バッテリユニットを接続する第１及び第２の接続部を、異なる向き、又は筐体の平面の一辺の両端部に同じ向きで配置したから、撮影可能な状態にポジショニングした後でもバッテリの交換がしやすい可搬型放射線画像検出装置を提供することができる。
【図面の簡単な説明】
【００３５】
【図１】Ｘ線撮影システムの構成を示す概略図である。
【図２】臥位撮影台の斜視図である。
【図３】電子カセッテが取り付けられるトレイを示す斜視図である。
【図４】本発明の電子カセッテ（可搬型放射線画像検出装置）を示す斜視図である。
【図５】バッテリユニットのラッチ機構の説明図である。
【図６】ラッチ機構の係合を解除する操作ボタンの説明図である。
【図７】ＦＰＤの構成を示すブロック図である。
【図８】電子カセッテの電気的構成を示すブロック図である。
【図９】トレイに取り付けられた電子カセッテに対してバッテリユニットを交換する状態を示す説明図である。
【図１０】電子カセッテが取り付けられる立位撮影台の一例を示す斜視図である。
【図１１】膝を撮影するときの被検者と電子カセッテの位置関係を示す説明図である。
【図１２】肘を撮影するときの被検者と電子カセッテの位置関係を示す説明図である。
【図１３】腰を撮影するときの被検者と電子カセッテの位置関係を示す説明図である。
【図１４】被検者が電子カセッテを保持して撮影する場合の説明図である。
【図１５】電子カセッテを用いて車椅子に乗せた被検者を撮影する場合の説明図である。
【図１６】対角配置した場合のバッテリ装着部の位置の説明図である。
【図１７】対角配置しない場合のバッテリ装着部の位置の説明図である。
【図１８】図１７の電子カセッテの平面図である。
【図１９】対向配置した場合のバッテリ装着部の位置の説明図である。
【図２０】細長形状のバッテリを用いた例の説明図である。
【図２１】図１８の比較例を示す説明図である。
【図２２】１つのバッテリ装着部に複数個の取り出し口がある例の説明図である。
【図２３】１つのバッテリ装着部に複数個の接続部がある例の説明図である。
【図２４】図２３の変形例を示す説明図である。
【図２５】筐体の平面の一辺の両端にバッテリ装着部を配置した例の説明図である。
【図２６】優先指定スイッチの説明図である。
【図２７】優先指定スイッチの変形例の説明図である。
【図２８】バッテリユニットにインジケータを設けた例の説明図である。
【図２９】予備バッテリを設けた例の説明図である。
【図３０】図２８とは別の、バッテリユニットにインジケータを設けた例の説明図である。
【図３１】バッテリ装着部に蓋を設けた例の説明図である。
【図３２】図３１の蓋の動作説明図である。
【図３３】バッテリユニットにガイド部材を設けた例の説明図である。
【発明を実施するための形態】
【００３６】
[第１実施形態]
図１に示すように、Ｘ線撮影システム１０は、Ｘ線発生器１１と、臥位撮影台１２と、本発明の可搬型放射線画像検出装置である電子カセッテ１３と、コンソール１４と、モニタ１５とを備えている。
【００３７】
コンソール１４は、被検者Ｈの性別や年齢などの患者情報や、撮影部位（頭部、胸部、腹部など）、撮影方向、撮影体位（立位か臥位かなど）などの術式指定情報を含む検査オーダを受信するオーダ受付機能を備えている。検査オーダは、ＨＩＳ（病院情報システム）やＲＩＳ（放射線情報システム）などの患者情報やＸ線検査に係る検査情報を管理する外部システムから発行され、ＬＡＮなどの通信ネットワークを介してコンソール１４に入力される。検査オーダの内容に応じて、Ｘ線のエネルギースペクトルを決める管電圧、Ｘ線の照射量を決める菅電流、Ｘ線の照射時間などの撮影条件が決定される。コンソール１４は、Ｘ線発生器１１や電子カセッテ１３に対して撮影条件（管電圧、管電流、照射時間など）を送信して設定する。
【００３８】
Ｘ線発生器１１は、コンソール１４などに付属する照射スイッチから入力される照射開始信号に基づいて、Ｘ線を臥位撮影台１２に載せられている被検者Ｈに向けて照射する。電子カセッテ１３は、被検者Ｈを透過したＸ線の照射を受けて、被検者Ｈの画像情報を表すＸ線画像を検出し、Ｘ線画像のデータをコンソール１４へ送信する。コンソール１４は、電子カセッテ１３から受信したＸ線画像に対して各種画像処理を施し、モニタ１５に表示させる。
【００３９】
臥位撮影台１２には電子カセッテ１３が取り付けられるトレイ２１が設けられている。Ｘ線撮影システム１０では、電子カセッテ１３をトレイ２１に取り付けた状態で撮影が行われる他、トレイ２１に電子カセッテ１３を取り付けた状態では撮影がしにくい撮影部位（肘や膝の関節など）については、電子カセッテ１３をトレイ２１から取り外し、臥位撮影台１２上で電子カセッテ１３と被検者Ｈのポジショニングを行って撮影が行われる（図１１〜図１４参照）。
【００４０】
図２に示すように、Ｘ線発生器１１は、Ｘ線を発するＸ線管１１ａと、Ｘ線の照射範囲（照射野）を限定する照射野限定器であるコリメータ１１ｂと、これらを操作する操作部１１ｃとからなる。Ｘ線発生器１１は、例えばＸ線撮影室の天井に移動かつ伸縮自在に設置された支柱に保持され、臥位撮影台１２の上方に配置されている。
【００４１】
臥位撮影台１２は、天板１６と、天板１６の下に設けられた撮影台本体１７とからなる。天板１６は、被検者Ｈが横たわることができる長さ及び幅を有する長方形状であり、被検者Ｈが載る天面が水平になるように撮影台本体１７の上に配置されている。天板１６は、Ｘ線の透過率が高いカーボン等で形成されている。
【００４２】
撮影台本体１７は、天板支持部２０と、トレイ２１と、昇降部２２とを備えている。天板支持部２０は、天板１６をＸＹ方向において移動できるように支持するフローティング機構（図示せず）を備えている。フローティング機構には、操作者が手動で天板を移動させる手動式と、電動機構などで自動的に移動させる自動式とがあるが、本実施形態では電動機構による自動式としている。また、操作者が臥位撮影台１２で撮影操作を行う際に位置する、臥位撮影台１２の前面側には、天板支持部２０を操作する操作パネル２３が設けられている。
【００４３】
トレイ２１は、天板１６の下方、かつ天板支持部２０の間に設けられている。トレイ２１は、前面に設けられた把手２１ａを前面側に引くことにより、天板１６の下から引き出せるようになっている。また、トレイ２１は、図示しないスライド機構によりＸ方向に移動する。スライド機構にも上述したフローティング機構と同様に手動式と自動式とがあるが、本実施形態では自動式としている。スライド機構の操作にも操作パネル２３が用いられる。
【００４４】
昇降部２２は、天板１６と、天板支持部２０及びトレイ２１を昇降させる電動式の昇降機構（図示せず）と、昇降機構の周囲を覆う伸縮自在なベローズ型カバー２２ａとを備えている。この昇降機構も操作パネル２３によって操作される。
【００４５】
図３に示すように、トレイ２１は、電子カセッテ１３が着脱自在に取り付けられる取り付け部である。電子カセッテ１３は、Ｘ線が照射される照射面とは反対側の背面をトレイ２１に向けた状態で取り付けられる。トレイ２１の上面には、電子カセッテ１３が不用意に動かないようにその外形サイズに合わせて切り欠かれた開口部２１ｂが形成されている。開口部２１ｂは、臥位撮影台１２の前面方向から電子カセッテ１３を挿入できるように、トレイ２１の前面も切り欠かれている。
【００４６】
開口部２１ｂは、トレイ２１の上方から見ると、略Ｌ字状になっている。これは、平面形状が長方形の電子カセッテ１３を縦姿勢と横姿勢の２つの取り付け姿勢で収容するためである。縦姿勢は、電子カセッテ１３の長辺方向が天板１６の長辺方向と平行な姿勢であり、横姿勢は、電子カセッテ１３の長辺方向が天板１６の長辺方向と直交する姿勢である。なお、トレイ２１の形状は、一例であり、これに限らず、電子カセッテ１３を縦姿勢及び横姿勢の２つの姿勢で取り付けられる形状であれば、他の形状でもよい。
【００４７】
図４に示すように、電子カセッテ１３は、ＦＰＤ３０（検出部）と、ＦＰＤ３０を収容する筐体２６とを備えている。ＦＰＤ３０の背面側には、Ｘ線のバック散乱線を吸収する鉛板３９、鉛板３９の背面側には回路基板（図示せず）が配置されている。
【００４８】
筐体２６は、平面形状が長方形の偏平な略直方体形状をしており、より具体的には、Ｘ線が照射される照射面２６ａ及び照射面２６ａと対向する背面２６ｂがほぼ長方形をしており、照射面２６ａ及び背面２６ｂの４辺のそれぞれに沿った側面２６ｃ〜２６ｆとを有している。ＦＰＤ３０の検出面（Ｘ線が入射する面）に対応する領域が開口したステンレスやアルミニウム製の筐体のケース本体と、Ｘ線を透過可能な材質（カーボンなど）で形成され、ケース本体の開口部に嵌め込まれて、Ｘ線の照射を受ける照射面２６ａを構成する平板とからなる。
【００４９】
筐体２６は、例えば、半切サイズ（３８３．５ｍｍ×４５９．５ｍｍ）のフイルム用またはＩＰ用のカセッテと同様の国際規格ＩＳＯ４０９０：２００１に準拠した外形サイズを有しており、フイルム用又はＩＰ用のカセッテに使用される撮影台に取り付けて使用することが可能である。電子カセッテ１３の外形サイズは、前述した半切サイズの他、四切サイズ、六切サイズ等があり、撮影部位に応じて適宜選択される。
【００５０】
筐体２６には、バッテリユニット２７が着脱自在に装着される２つのバッテリ装着部２８，２９が設けられている。バッテリ装着部２８，２９は、筐体２６の平面（照射面２６ａ及び背面２６ｂ）の４つの頂点付近に位置する角部にそれぞれ配置されており、両者は、照射面２６ａ及び背面２６ｂにおける対角位置に配置されている。バッテリ装着部２８，２９は、それぞれ、バッテリユニット２７を収納する収納室２８ａ，２９ａと、バッテリユニット２７を収納室２８ａに着脱するための取り出し口２８ｂ，２９ｂとを有している。
【００５１】
収納室２８ａ，２９ｂは、バッテリユニット２７の外形に対応した略角筒状の形状を持ち、取り出し口２８ｂ，２９ｂを開口とした有底の凹部である。取り出し口２８ｂ，２９ｂは、それぞれ側面２６ｃや側面２６ｄの１つの側面に収まる大きさであり、取り出し口２８ｂ，２９ｂのそれぞれが、他の側面、照射面２６ａ及び背面２６ｂに跨がらないように形成されている。このため、収納室２８ａ，２９ａに収納された状態では、バッテリユニット２７の周面は、筐体２６の照射面２６ａ及び背面２６ｂ側に露出しない。
【００５２】
バッテリ装着部２８の取り出し口２８ｂは、長辺方向に沿って配置される１つの側面２６ｃに形成されており、バッテリ装着部２９の取り出し口２９ｂは、側面２６ｃと直交する短辺方向に沿って配置される１つの側面２６ｄに形成されている。そのため、バッテリ装着部２８，２９の位置において、筐体２６の照射面２６ａや背面２６ｂが隠れていても、側面２６ｃ，２６ｄさえ外部に露呈されていれば、バッテリユニット２７の着脱が可能である。また、電子カセッテ１３は、バッテリ装着部２８，２９の各取り出し口２８ｂ，２９ｂが直交する２つの側面２６ｃ，２６ｄに配置されているため、バッテリユニット２７の着脱が異なる２方向からできるようになっている。
【００５３】
電子カセッテ１３が縦姿勢で取り付けられたときには、側面２６ｃに設けられたバッテリ装着部２８が開口部２１ｂから外部に露呈し、横姿勢で取り付けられたときには、側面２６ｄに設けられたバッテリ装着部２９が開口部２１ｂから外部に露呈するというように、電子カセッテ１３が臥位撮影台１２のトレイ２１に縦姿勢及び横姿勢のいずれかの姿勢で取り付けられたときに、トレイ２１の開口部２１ｂを通して側面２６ｃ，２６ｄのいずれかが外部に露呈される。各取り出し口２８ｂ，２９ｂは、側面２６ｃと側面２６ｄにそれぞれ設けられているので、電子カセッテ１３が縦姿勢及び横姿勢のどちらの姿勢で臥位撮影台１２に取り付けられた場合でも、各取り出し口２８ｂ，２９ｂが開口部２１ｂから外部に露呈するので、電子カセッテ１３を臥位撮影台１２に取り付けた状態でバッテリユニット２７の交換が可能である。
【００５４】
バッテリユニット２７は、複数回の撮影が可能な電源容量を有する本体部であるバッテリ５８（図８参照）と、バッテリ５８を収納するケースとからなる。バッテリ５８は、充電が可能な電池であり、バッテリユニット２７を、クレードルなどの充電器に接続して充電することが可能である。
【００５５】
バッテリ５８としては、ニッケルカドミウム、ニッケル水素、リチウムイオンなどの二次電池の他、電気二重層キャパシタ、リチウムイオンキャパシタなどのキャパシタでもよい。電子カセッテ１３のバッテリ５８の性能としては、小型であること、比較的容量が大きいこと、充電時間が短いことなどが求められる。リチウムイオン二次電池は、他の二次電池と比較してエネルギー密度が高く小型で大容量という特長を備えているので、小型化、大容量化を求める場合にはリチウムイオン二次電池が好ましい。また、キャパシタは、急速充電が可能であるため、充電時間の短縮化を求める場合にはキャパシタが好ましい。
【００５６】
また、近年においては、ナノ微粒子を利用することにより、キャパシタに匹敵する急速充電性能を備えたリチウムイオン二次電池や、急速充電性能とともに高いエネルギー密度も併せ持つリチウムイオンキャパシタなどの新型電池も開発されており、バッテリ５８としてはこれらを使用することがさらに好ましい。
（http://www.toshiba.co.jp/about/press/2005_03/pr_j2901.htm
http://www.jmenergy.co.jp/img/JMenergy2009.pdf参照）
【００５７】
また、各バッテリ装着部２８，２９は、例えばバッテリ５８としてリチウムイオン二次電池を使用したバッテリユニット２７や、バッテリ５８としてリチウムイオンキャパシタを使用したバッテリユニット２７など、特性の異なるバッテリユニットを装着可能であることが好ましい。
【００５８】
２つのバッテリ装着部２８，２９に、特性の異なるバッテリユニットを装着できるようにすると、例えば次のような使い方が可能となる。電子カセッテ１３を縦姿勢で臥位撮影台１２に取り付けるときには、開口部２１ｂから取り出し口２８ｂが露呈して、撮影台１２に取り付けた状態でバッテリ交換が可能なバッテリ装着部２８に、急速充電が可能なバッテリユニット２７を装着し、撮影台１２の奥に隠れてしまうバッテリ装着部２９には、容量が大きなバッテリユニット２７を装着する。万が一両方のバッテリユニット２７が残量切れになった場合でも、バッテリ装着部２８のバッテリユニット２７を取り外して急速充電を行うことができるので、バッテリの残量切れによる撮影の中断時間が短くなる。
【００５９】
バッテリ５８の特性としては、例えば、重量エネルギー密度（Wh/kg）,重量出力密度（W/kg）の他、大きさ、形状、重量等である。バッテリユニット２７とバッテリ装着部２８，２９の大きさや形状が異なる場合には、各バッテリ装着部２８，２９の大きさに合わせるアダプタを使用してバッテリユニット２７を装着できるようにすることが好ましい。バッテリ５８の特性が異なる複数種類のバッテリユニット２７の外形が同じ場合には、種類を見分けやすいように、色、模様、記号などの識別標識をバッテリユニット２７のケースに付しておくことが好ましい。
【００６０】
なお、特性が異なる複数種類のバッテリユニット２７が使用可能な場合には、コンソール１４に、好ましいバッテリユニット２７の種類を報知する機能が設けられていることが好ましい。例えば、検査オーダには撮影枚数が含まれているので、コンソール１４は、検査オーダの内容に基づいて、撮影枚数が多い場合には、比較的大容量のバッテリユニット２７を使用することを推奨するメッセージをディスプレイに表示する。
【００６１】
バッテリユニット２７は、略直方体状で、１つの端面から突出するように凸型のコネクタ３１が設けられている。バッテリ装着部２８，２９の収納室２８ａ，２９ａの奥には、コネクタ３１と接続されるソケット３４が設けられている。ソケット３４は、バッテリユニット２７と電気的に接続するための端子を有する接続部であり、凸型のコネクタ３１と嵌合するように凹型をしている。各収納室２８ａ，２９ａのそれぞれのソケット３４の向きは、各取り出し口２８ｂ，２９ｂの向きにそれぞれ対応しており、互いに直交している。
【００６２】
収納室２８ａ，２９ａは、コネクタ３１とソケット３４が接続された装着状態のときに、バッテリユニット２７の外面が筐体２６の外面から突出しない状態でバッテリユニット２７を収容可能な大きさを有する。
【００６３】
また、バッテリ装着部２８，２９からバッテリユニット２７を取り外すとき、バッテリユニット２７の端部を把持しやすいように、取り出し口２８ｂ，２９ｂの周縁には指先の一部を挿入可能な切り欠き３５が形成されている。
【００６４】
また、取り出し口２８ｂ，２９ｂの近傍の側面２６ｃ，２６ｄには、インジケータ４０が設けられている。インジケータ４０は、電子カセッテ１３の電源のオンオフの状態、通信状態、バッテリユニット２７の残量などを表示する。インジケータ４０は、複数個のＬＥＤからなるインジケータランプや液晶パネルなどで構成される。バッテリユニット２７の残量としては、例えば、各バッテリ装着部２８，２９に装着されるバッテリユニット２７毎の残量に加えて、２つのバッテリ装着部２８，２９にバッテリユニット２７が装着されている場合には、２つのバッテリユニット２７の残量の合計が表示される。
【００６５】
なお、本例においては、凸型のコネクタ３１をバッテリユニット２７に、凹型のソケット３４をバッテリ装着部２８，２９に設けた例で説明したが、その反対に、凸型のコネクタをバッテリ装着部２８，２９に、凹型のソケットをバッテリユニット２７に設けてもよい。また、バッテリユニット２７とバッテリ装着部２８，２９の各接続部の形状は、凹凸が無い形態も考えられるので、適宜変更が可能である。
【００６６】
図５に示すように、バッテリ装着部２８は、収納室２８ａの奥に、ラッチ機構４１を有している。ラッチ機構４１は、図示しない係合爪を有しており、バッテリユニット２７と係合して、コネクタ３１とソケット３４が電気的に接続する装着位置で固定する。ラッチ機構４１には、バッテリユニット２７を収納室２８ａの奥から取り出し口２８ｂに向けて付勢するバネ４１ａが設けられている。バッテリユニット２７が取り出し口２８ｂから収納室２８ａの奥に向けて押し込まれると、ラッチ機構４１の係合爪とバッテリユニット２７が係合して、その係合によりバネ４１ａの付勢に抗してバッテリユニット２７が装着位置に固定される。装着状態のバッテリユニット２７が取り出し口２８ｂ方向から収納室２８ａの奥に向けて押し込まれると、ラッチ機構４１の係合が解除される。係合が解除されると、バッテリユニット２７はバネ４１ａの付勢力によって取り出し口２８ｂから突出する。バッテリ装着部２８を例に説明したが、バッテリ装着部２９についても同様である。
【００６７】
もちろん、図６に示すように、取り出し口２８ｂの近傍にラッチ機構４１の係合を解除する操作ボタン４１ｂを設けて、操作ボタン４１ｂの押下によってバッテリユニット２８を取り出すようにしてもよい。
【００６８】
図７に示すように、ＦＰＤ３０は、ＴＦＴアクティブマトリクス基板４３上に、Ｘ線を吸収して電荷に変換する電荷発生層が積層されて構成されている。電荷発生層は例えばセレンを主成分（例えば含有率５０％以上）とする非晶質のａ−Ｓｅ（アモルファスセレン）から成り、Ｘ線が照射されると、照射されたＸ線量に応じた電荷量の電荷（電子−正孔の対）を内部で発生することで、照射されたＸ線を電荷へ変換する。もちろん、ＦＰＤ３０としては、Ｘ線をシンチレータによって可視光に変換した後電荷に変換する間接変換型でもよい。
【００６９】
ＴＦＴアクティブマトリクス基板４３上には、電荷発生層で発生された電荷を蓄積する蓄積容量と、蓄積容量に蓄積された電荷を読み出すためのＴＦＴを備えた画素４４がマトリクス状に多数個配置されており、これらの画素４４によって入射するＸ線を検出する検出面が構成される。検出面に入射するＸ線の入射量に応じて電荷発生層で発生された電荷は、個々の画素４４の蓄積容量に蓄積される。これにより、照射面２６ａから入射したＸ線に担持された、被検者Ｈの画像情報は、電荷情報へ変換されてＴＦＴアクティブマトリクス基板４３に保持される。
【００７０】
ＴＦＴアクティブマトリクス基板４３には、一定方向（行方向）に延設され個々の画素４４のＴＦＴのゲートをオンオフさせるための複数本のゲート配線４５と、ゲート配線４５と直交する方向（列方向）に延設されオンされたＴＦＴを介して蓄積容量から蓄積電荷を読み出すための複数本のデータ配線４６が設けられている。個々のゲート配線４５はゲートドライバ４７に接続されており、個々のデータ配線４６は信号処理部４８に接続されている。個々の画素４４の蓄積容量に電荷が蓄積されると、個々の画素４４のＴＦＴは、ゲートドライバ４７からゲート配線４５を介して供給される信号により行単位で順にオンされ、ＴＦＴがオンされた画素４４の蓄積容量に蓄積されている電荷は、電荷信号としてデータ配線４６を伝送されて信号処理部４８に入力される。
【００７１】
信号処理部４８は、個々のデータ配線毎に設けられた増幅器及びサンプルホールド回路を備えており、個々のデータ配線を伝送された電荷信号は増幅器で増幅された後にサンプルホールド回路に保持される。また、サンプルホールド回路の出力側にはマルチプレクサ、Ａ／Ｄ変換器が順に接続されており、個々のサンプルホールド回路に保持された電荷信号はマルチプレクサに順に（シリアルに）入力され、Ａ／Ｄ変換器によってデジタルの画像データへ変換される。信号処理部４８のＡ／Ｄ変換器から出力された画像データは、画像メモリ４９に順に記憶される。画像メモリ４９は、少なくとも１枚分のＸ線画像が記憶可能な記憶容量を有しているが、複数枚分のＸ線画像が記憶可能な記憶容量を有するのが好ましい。
【００７２】
図８に示すように、電子カセッテ１３には、制御部５３、電源回路５２、操作部５４、無線通信部５９が設けられている。制御部５３は、電子カセッテ１３全体の制御を司るＣＰＵ、ＣＰＵが実行するプログラムが格納されたＲＯＭ、ＲＯＭからロードされたプログラムを展開し、ＣＰＵが処理を実行するために使用するワークメモリであるＲＡＭ、各種設定情報が記憶されるＥＥＰＲＯＭなどを含んだマイクロコンピュータで構成されている。操作部５４は、電源ボタンなどからなる。
【００７３】
電源回路５２は、バッテリユニット２７から供給される電圧を、電子カセッテ１３の各部が必要な電圧に変換するＤＣ−ＤＣコンバータなどからなり、バッテリユニット２７からの電力を電子カセッテ１３の各部に供給する。また、電源回路５２は、各バッテリ装着部２８，２９に装着されたバッテリユニット２７が供給する電圧レベルを、制御部５３に出力する。制御部５３は、電源回路５２から出力される電圧値に基づいて、各バッテリユニット２７の残量を検出し、検出した残量を表示するように各インジケータ４０を作動させる。例えば、制御部５３は、電圧値が閾値より低下した場合には、残量切れと判定し、各インジケータ４０にその旨を表示させる。
【００７４】
また、制御部５３は、電源回路５２からの電圧値の出力の有無に基づいて、各バッテリ装着部２８，２９にバッテリユニット２７が装着されているか否かを検出する。バッテリユニット２７の装着検出の方法としては、フォトセンサやマイクロスイッチを用いてもよい。
【００７５】
電源回路５２には、バッテリ装着部２８，２９からの各給電経路を選択するセレクタ５２ａが設けられている。セレクタ５２ａは、制御部５３によって制御される。制御部５３は、バッテリ装着部２８，２９の一方にのみバッテリユニット２７が装着されている場合には、セレクタ５２ａを作動させて装着されている方の給電経路に切り替える。
【００７６】
また、バッテリ装着部２８，２９の両方にバッテリユニット２７が装着されている場合には、制御部５３は、残量の多い方あるいは少ない方のバッテリユニット２７を優先的に使用するというように、残量に応じて給電経路を選択する。もちろん、両方のバッテリユニット２７の残量が同じになるように、給電経路を選択してもよいし、装着された順番によって、先に装着されたバッテリユニット２７が優先的に使用されるように給電経路を選択してもよい。
【００７７】
また、制御部５３は、バッテリ装着部２８，２９の両方にバッテリユニット２７が装着され、かつ、電源がオンされて電子カセッテ１３が起動している場合において、一方のバッテリユニット２７が取り外されると、他方のバッテリユニット２７からの給電経路へ切り替えるホットスワップ機能（活線挿抜）にも対応している。これにより、バッテリユニット２７の交換に際して、電子カセッテ１３の電源をオフしないで済むので、再起動が不要となり、迅速なバッテリ交換が可能になる。
【００７８】
無線通信部５９は、コンソール１４との通信を行う通信部であり、通信用の電波を発生するアンテナや通信回路からなる。無線通信部５９は、Ｘ線の照射開始信号や照射時間などの制御信号をコンソール１４から受信するとともに、コンソール１４に対して画像メモリ４９内の画像データを送信する。なお、無線通信部は、赤外線などの光通信部でもよい。
【００７９】
上記構成による作用について図９を参照しながら説明する。図２に示すように、臥位撮影台１２に電子カセッテ１３を取り付けて被検者Ｈの撮影を行う場合、撮影部位や撮影目的に応じて、図３に示すように、縦姿勢及び横姿勢のいずれかの姿勢で、電子カセッテ１３が臥位撮影台１２のトレイ２１に取り付けられる。
【００８０】
電子カセッテ１３は、筐体２６がフイルムカセッテやＩＰカセッテと同じ外形及びサイズを持ち、バッテリユニット２７も筐体２６から突出しない状態でバッテリ装着部２８，２９に収納されるので、フイルムカセッテやＩＰカセッテ用の既存の撮影台にも取り付けが可能である。従来の特許文献２に記載された電子カセッテのように、筐体にバッテリを有する増設部が取り付けられる形態の場合には、専用の撮影台が必要となる可能性が高く、フイルムカセッテやＩＰカセッテ用の既存の撮影台に取り付けられない、あるいは、縦姿勢又は横姿勢のどちらかでしか取り付けられないというように取り付け姿勢が制限されるいといった問題が生じる。こうした従来の電子カセッテと比較して、本発明の電子カセッテ１３は、撮影台の種類や取り付け姿勢が制限されることもなく、撮影台への取り付け適性が高い。
【００８１】
電子カセッテ１３は、図９（Ａ）に示すように、縦姿勢のときは、筐体２６の側面２６ｃがトレイ２１の開口部２１ｂから外部に露呈されるように取り付けられる。縦姿勢のときは、筐体２６の側面２６ｄに形成された、バッテリ装着部２９の取り出し口２９ｂは、トレイ２１の奥に隠れてしまうが、バッテリ装着部２９と対角に配置されたバッテリ装着部２８は、側面２６ｃに取り出し口２８ｂが形成されているため、開口部２１ｂから外部に露呈される。また、図９（Ｂ）に示すように、横姿勢のときは、筐体２６の側面２６ｄが開口部２１ｂから外部に露呈されるように取り付けられる。横姿勢のときは、縦姿勢のときとは反対に、筐体２６の側面２６ｃに形成された、バッテリ装着部２８の取り出し口２８ｂは、トレイ２１の奥に隠れてしまうが、側面２６ｄに形成された、バッテリ装着部２９の取り出し口２９ｂは、開口部２１ｂから外部に露呈される。
【００８２】
制御部５３は、電源回路５２からの電圧値に応じてバッテリユニット２７の残量を監視し、バッテリユニット２７の残量がなくなると、インジケータ４０に残量切れを表示させる。電子カセッテ１３の取り付け姿勢が縦姿勢及び横姿勢のいずれであっても、２つのバッテリ装着部２８，２９の取り出し口２８ｂ，２９ｂのいずれかが開口部２１ｂから外部に露呈されるので、電子カセッテ１３をトレイ２１に取り付けた状態で、開口部２１ｂから露呈されている取り出し口２８ｂ，２９ｂを通じてバッテリユニット２７を交換することができる。
【００８３】
制御部５３は、ホットスワップ機能を備えているので、バッテリ装着部２８，２９の両方にバッテリユニット２７が装着されている場合には、一方が取り外された場合でも、他方のバッテリユニット２７からの給電に切り替わるので、電子カセッテ１３の電源をオフすることなく、起動した状態でバッテリユニット２７を交換することができる。
【００８４】
バッテリユニット２７の交換に際しては、電子カセッテ１３を撮影台から取り外さなくて済むので、交換作業が短時間で済む。このため、１人の被検者Ｈについて複数枚の撮影が必要な検査の途中でバッテリユニット２７を交換する場合でも、被検者Ｈを待たせる時間が短いので被検者Ｈの精神的な負担も少ない。また、フイルムカセッテやＩＰカセッテと比べて重量のある電子カセッテ１３を取り外さなくて済むので、交換作業を行う作業者の負担も少ない。また、ホットスワップ機能を備えているので、電源をオフしないで済むため、交換作業をより迅速に行うことができる。
【００８５】
近年、画像診断の精緻化が進み、１回の検査で連続して複数枚の撮影を行う頻度が多くなっており、検査中におけるバッテリ交換の頻度も増加している。そのため、バッテリ交換作業に伴う負担が顕在化しており、医療現場からはその負担軽減を望む声が大きくなってきている。こうした問題に対して、本発明は有用性が高い。
【００８６】
本例では、臥位撮影台１２に電子カセッテ１３を取り付ける例で説明したが、図１０に示すように、電子カセッテ１３を立位撮影台６０に取り付けてもよい。立位撮影台６０は、床に据え付けられた支柱６１と、電子カセッテ１３が取り付けられるカセッテホルダ６２とからなる。カセッテホルダ６２は、側面から内部に連通するスロット６３が設けられ、スロット６３に挿入された電子カセッテ１３を保持する。スロット６３の内部は、電子カセッテ１３の長辺方向がカセッテホルダ６２の長辺方向に直交する縦姿勢、または電子カセッテ１３の長辺方向がカセッテホルダ６２の長辺方向に沿う横姿勢のいずれの取り付け姿勢でも電子カセッテ１３が取り付けられるように略Ｌ字状に形成されている。
【００８７】
電子カセッテ１３は、縦姿勢のときは、取り出し口２８ｂが形成された側面２６ｃを、横姿勢のときは、取り出し口２９ｂが形成された側面２６ｄを、スロット６３の開口から外部に露呈されるようにカセッテホルダ６２に取り付けられる。これにより、電子カセッテ１３は、スロット６３を通して取り出し口２８ｂ，２９ｂのいずれかが外部に露呈されるので、臥位撮影台１２を使用した場合と同様の効果が得られる。
【００８８】
このように、撮影台の多くは、電子カセッテ１３が取り付けられる取り付け部（トレイ２１やカセッテホルダ６２）が、電子カセッテ１３を取り付けたときに、筐体２６の側面を露呈するスロットタイプである。そのため、筐体２６の側面２６ｃ，２６ｄにバッテリ取り出し口２８ｂ，２９ｂを設けることで、各種の撮影台に対応させることができる。
【００８９】
また、上記例では、電子カセッテ１３を撮影台に取り付けて使用する例で説明したが、撮影台に取り付けた状態では撮影がしにくい部位を撮影する場合や、撮影室へ移動することが困難な被検者Ｈの撮影を行う場合には、電子カセッテ１３は撮影台に取り付けずに使用される。次に説明するとおり、撮影台に取り付けずに電子カセッテ１３を単体で使用する場合でも、本発明の電子カセッテ１３は、従来の電子カセッテでは得られない効果が認められる。
【００９０】
図１１及び図１２に示すように、電子カセッテ１３を撮影台に取り付けた状態では撮影がしにくい、肘や膝の関節を撮影する場合には、例えば、臥位撮影台１２の天板１６上で、被検者Ｈと電子カセッテ１３のポジショニングが行われる。図１１に示すように、膝を撮影する場合には、電子カセッテ１３が、照射面を上方に向けた姿勢で、被検者Ｈと天板１６の間に挿入される。このようなポジショニングが行われると、バッテリ装着部２８の取り出し口２８ｂが被検者Ｈの脚で塞がれてしまうため、×印で示すように、バッテリ装着部２８ではバッテリユニット２７のバッテリ交換ができない。しかし、もう１つのバッテリ装着部２９の取り出し口２９ｂは、被検者Ｈの体で塞がれることなく外部に露呈された状態であるので、バッテリユニット２７の残量切れが生じた場合には、被検者Ｈや電子カセッテ１３の姿勢を崩すことなく、バッテリ装着部２９のバッテリユニット２７を交換することで、撮影を継続することができる。
【００９１】
図１２に示すように、肘を撮影する場合には、照射面を上方に向けた姿勢で電子カセッテ１３を天板１６上に載置し、その電子カセッテ１３の照射面の上に、被検者Ｈの肘が載せられる。被検者Ｈがこのような姿勢をとった場合は、バッテリ装着部２９の取り出し口２９ｂは外部に露呈されているものの、取り出し口２９ｂの前方には被検者Ｈの体が位置しており、それが障害となって、取り出し口２９ｂにはアクセスしづらい。そのため、被検者Ｈの姿勢を崩さない限り、バッテリ装着部２８のバッテリ交換はしにくい。しかし、もう１つのバッテリ装着部２８の取り出し口２８ｂの前方には、被検者Ｈの体などの障害物はないので、バッテリ装着部２８を通じて、被検者Ｈや電子カセッテ１３の姿勢を崩すことなく、バッテリユニット２７を交換することができる。
【００９２】
図１３及び図１４に示すように、撮影室へ移動することが困難な被検者Ｈを撮影する場合には、技師Ｇによって、病室などの寝台６６の天板上で、電子カセッテ１３と被検者Ｈのポジショニングが行われる。図１３の例では、被検者Ｈの腰を撮影するために、電子カセッテ１３が、照射面を上方に向けた姿勢で、被検者Ｈと寝台６６の間に挿入される。この例では、バッテリ装着部２９の取り出し口２９ｂが被検者Ｈの脚で塞がっており、バッテリ装着部２９ではバッテリユニット２７のバッテリ交換ができない。しかし、もう１つのバッテリ装着部２８の取り出し口２８ｂは、被検者Ｈの体で塞がれることなく外部に露呈された状態であるので、被検者Ｈや電子カセッテ１３の姿勢を崩すことなく、バッテリ装着部２８のバッテリユニット２７を交換することができる。
【００９３】
図１１〜図１３に示すように、撮影台を使用せずに電子カセッテ１３を単体で使用する場合には、被検者の体は電子カセッテを横切るように配置される場合が多いので、２つの取り出し口をそれぞれ直交する２つの側面に設ければ、一方の取り出し口が塞がっている場合でも、他方の取り出し口にアクセスできる可能性が高い。
【００９４】
また、電子カセッテ１３は、筐体２６の側面に収まる大きさの開口からなる取り出し口２８ｂ，２９ｂが形成されているので、バッテリユニット２７の外周面は、照射面や背面に露呈しない。そのため、電子カセッテ１３を、その照射面を上方に向けて寝台６６上に載置して使用する場合において、バッテリユニット２７の外周面を、照射面上の被検体の体や背面側の寝台６６と干渉させることなく、バッテリユニット２７の着脱ができるので、側方からの着脱が容易である。
【００９５】
図１４の例では、寝台６６に横たわっている被検者Ｈに、筐体２６の１つの側面２６ｄを下向きにして電子カセッテ１３を立てた状態で保持してもらいながら撮影を行う例である。この場合は、側面２６ｄに形成された、バッテリ装着部２９の取り出し口２９ｂは寝台６６の天板で塞がれてしまうため、バッテリ装着部２９のバッテリユニット２７の交換はできない。しかし、もう１つのバッテリ装着部２８の取り出し口２８ｂは、外部に露呈されているので、被検者Ｈや電子カセッテ１３の姿勢を崩すことなく、バッテリ交換が可能となる。
【００９６】
また、図１５に示すように、撮影台に取り付けずに電子カセッテ１３を使用する例としては、車椅子６７に被検者Ｈを載せた状態で、電子カセッテ１３を車椅子６７の背もたれ６７ａと被検者Ｈの間に挿入して撮影する場合がある。こうした撮影を行う場合には、電子カセッテ１３のように、筐体２６の２つの側面２６ｃ，２６ｄにそれぞれ取り出し口２８ｂ，２９ｂが設けられていることに加えて、２つのバッテリ装着部２８，２９が、筐体２６の照射面２６ａ及び背面２６ｂにおいて対角位置に配置されていると、次に説明するとおり、電子カセッテ１３の挿入姿勢に関わらず、いずれかのバッテリ装着部２８，２９を通じてバッテリユニット２７の交換が可能になる。
【００９７】
本例の電子カセッテ１３を示す図１６と、２つのバッテリ装着部７１，７２が対角位置に無い電子カセッテ７０を示す図１７において、車椅子６７の背もたれ６７ａと被検者Ｈの間へ電子カセッテ１３，７０を挿入する挿入姿勢としては、電子カセッテ１３，７０の長手方向の側面を上方に向けた横姿勢と、電子カセッテ１３，７０の短手方向の側面を上方に向けた縦姿勢とがある。
【００９８】
図１７に示す電子カセッテ７０は、横姿勢のときには、一方のバッテリ装着部７１の取り出し口が座面６７ｃで隠れてしまっても、一方のバッテリ装着部７２の取り出し口は肘掛け６７ｂの上方から外部に露呈されるので、バッテリ装着部７２を通じてバッテリユニット２７を交換することができる。しかし、縦姿勢の場合には、２つのバッテリ装着部７１，７２の取り出し口が両方とも肘掛け６７ｂや座面６７ｃに隠れてしまい、どちらのバッテリ装着部７１，７２からもバッテリユニット２７の交換ができなくなってしまう場合がある。
【００９９】
これに対して、図１６に示す本例の電子カセッテ１３では、挿入姿勢に関わらず、一方のバッテリ装着部の取り出し口は肘掛け６７ｂや座面６７ｃに隠れてしまうが、２つのバッテリ装着部２８，２９が対角位置に配置されているので、横姿勢及び縦姿勢のどちらにおいても、他方のバッテリ装着部の取り出し口は、外部に露呈された状態となるので、いずれかのバッテリ装着部を通じてバッテリユニット２７の交換が可能となる。
【０１００】
また、対角配置にすると、電子カセッテ１３を縦姿勢及び横姿勢のどちらの姿勢にした場合でも、各バッテリ装着部２８，２９に装着される２つのバッテリユニット２７が電子カセッテ１３の照射面及び背面において左右両端に配置されることになる。比較的重量があるバッテリユニット２７が左右両端に配置されていれば、電子カセッテ１３の重量バランスもよく、取り扱いがしやすい。
【０１０１】
なお、図１８に示すように、電子カセッテ７０は、２つのバッテリ装着部７１，７２が、対角位置では無いものの、照射面の４つの角部のうちの２つの角部にそれぞれ配置されており、照射面の四辺のうちの一辺の両端部に配置されている。各バッテリ装着部７１，７２の取り出し口７１ａ，７２ａは、電子カセッテ１３と同様に開口からなり、筐体の直交する２つの側面にそれぞれ形成されている。バッテリ装着部７１，７２のソケット３４は、互いに直交する向きに配置されており、バッテリ装着部７１，７２の着脱方向は直交している。
【０１０２】
このように電子カセッテ７０は、２つのバッテリ装着部７１，７２が照射面の一辺の両端部に配置され、かつ、筐体の直交する２つの側面からバッテリユニット２７の着脱が可能であるので、２つのバッテリ装着部が対角位置に配置されることによる効果を除いて、電子カセッテ１３と同様の効果が得られる。
【０１０３】
[第２実施形態]
第１実施形態の電子カセッテ１３及び電子カセッテ７０では、バッテリユニット２７の取り出し口を筐体２６の直交する２つの側面に設け、直交する２つの側面からバッテリユニット２７を着脱可能な例で説明したが、図１９に示す第２実施形態の電子カセッテ７３のように、２つのバッテリ装着部７４，７５の取り出し口７４ａ，７５ａを、筐体において平行に配置され対向する２つの側面に設けてもよい。電子カセッテ７３の取り出し口７４ａ，７５ａの奥には、電子カセッテ１３，７０と同様にソケット３４が設けられており、電子カセッテ７３は、対向する２つの側面からバッテリユニット２７を着脱することができる。
【０１０４】
電子カセッテ７３のように対向する２つの側面に取り出し口を設けた場合には、電子カセッテ１３，７０のように撮影台への取り付け姿勢に関わらず撮影台のホルダやトレイから一方の取り出し口が露呈する（図２，図１０参照）というメリットは失われる。しかし、電子カセッテ７３でも、異なる２方向からバッテリユニット２７の着脱が可能であるので、１つの側面にのみ取り出し口が設けられる場合と比べれば、バッテリユニット２７の着脱方向が増える分、バッテリユニット２７の交換はしやすい。
【０１０５】
なお、本例の電子カセッテ７３では、バッテリ装着部７４，７５をそれぞれ、筐体の平面（照射面及び背面）の角部に配置した例を示しているが、バッテリ装着部７４，７５を、角部ではなく、筐体の平面の対向するそれぞれの辺の中央部に配置してもよい。
【０１０６】
[第３実施形態]
上記実施形態では、縦横の長さがほぼ等しいバッテリユニット２７が装着される電子カセッテを例に説明したが、バッテリユニットの形状は上記実施形態に限定されず、例えば、図２０及び図２１に示す第２実施形態の電子カセッテ７６，８０に装着されるバッテリユニット７７，８４のように細長形状でもよい。
【０１０７】
図２０に示す電子カセッテ７６は、電子カセッテ１３と同様に、平面における対角位置に配置された２つのバッテリ装着部７８，７９を有する。バッテリ装着部７８，７９の取り出し口は筐体の直交する２つの側面にそれぞれ形成されており、各取り出し口の奥にはソケット３４が設けられている。電子カセッテ７６は、バッテリユニット７７を直交する２つの側面から着脱が可能である。
【０１０８】
図２１に示す電子カセッテ８０も、電子カセッテ７６と同様に、平面における対角位置に配置された２つのバッテリ装着部８１，８２を有し、バッテリユニット８４を直交する２つの側面から着脱が可能である。電子カセッテ７６と電子カセッテ８０の相違点は、バッテリユニット７７，８４の装着姿勢であり、装着姿勢の違いに応じてバッテリ装着部の取り出し口のサイズが異なっている。電子カセッテ７６は、各バッテリ装着部７８，７９の取り出し口が、バッテリユニット７７をその短辺方向（幅が狭い方向）の面から取り出せるサイズであるのに対して、電子カセッテ８０は、各バッテリ装着部８１，８２の取り出し口が、バッテリユニット８４をその長辺方向の面から取り出せるサイズである。
【０１０９】
電子カセッテ８０は、取り出し口の幅が、電子カセッテ７６の取り出し口の幅と比較して、幅広になるため、電子カセッテ７６と比較して、被検者Ｈの体によって取り出し口が塞がれやすい。図２１に示すように、電子カセッテ８０のバッテリ装着部８１の取り出し口は被検者Ｈの脚によって完全に塞がれており、もう１つのバッテリ装着部８２も、被検者Ｈの脚によって一部が塞がれており、その脚をどかさないとバッテリ交換ができない。これに対して、図２０に示す電子カセッテ７６のバッテリ装着部７８のように、取り出し口が幅狭であれば、取り出し口は塞がれないので、１つのバッテリ装着部７９が塞がれていても、もう１つのバッテリ装着部７８を通じてバッテリ交換が可能である。
【０１１０】
したがって、細長形状のバッテリユニットを使用する場合には、電子カセッテ７６のように、各バッテリ装着部７８，７９の取り出し口のサイズが、バッテリユニット７７をその短辺方向から着脱できるサイズであることが好ましい。これにより、取り出し口が幅狭になるので、取り出し口が塞がれてバッテリ交換ができないケースを減らすことができる。
【０１１１】
なお、細長形状のバッテリユニットとしては、本例のバッテリユニット７７，８４のように断面形状が四角形である角柱状のケースを有するバッテリユニットの他、断面形状が円形である円柱状のケースを有するバッテリユニットでもよいし、シート状のバッテリユニットを巻いて棒状の形態にした細長形状のバッテリユニットでもよい。
【０１１２】
[第４実施形態]
図２２（Ａ）に示す電子カセッテ８６は、図２０に示す第３実施形態の電子カセッテ７６と同様に、筐体８７に２つのバッテリ装着部８８を備えており、２つのバッテリ装着部８８により異なる２方向からバッテリユニットの着脱が可能である。電子カセッテ８６と電子カセッテ７６の相違点は、１つのバッテリ装着部８８に対して、着脱方向が異なる２つの取り出し口８８ａ，８８ｂが設けられていることである。
【０１１３】
２つの取り出し口８８ａ，８８ｂは、筐体８７において直交し隣接する２つの側面８７ａ，８７ｂにそれぞれ設けられている。こうすれば、ポジショニングしたときに２つの取り出し口８８ａ，８８ｂのうち１つが塞がれていても、もう１つが使える場合もあるので、バッテリ交換がしやすい。取り出し口８８ａは、細長形状のバッテリユニット８９を短辺方向の面から取り出せるサイズであり、取り出し口８８ｂは、細長形状のバッテリユニット８９を長辺方向の面から取り出せるサイズである。
【０１１４】
筐体８７には、各取り出し口８８ａ，８８ｂを開閉する蓋８８ｃ，８８ｄが設けられている。バッテリ装着部８８は、ソケット３４の代わりに、電気的な接続部としてバネ形状の電極９０を備えており、バッテリユニット８９は、電極９０によって取り出し口８８ａの方向に付勢された状態でバッテリ装着部８８に収納される。蓋８８ｃが開くとバッテリユニット８９は電極９０の付勢力によって取り出し口８８ａから突出する。取り出し口８８ｂには、バッテリユニット８９を指でつかんで取り出せるように指を挿入するための切り欠きが設けられている。
【０１１５】
さらに、図２２（Ｂ）に示すように、電子カセッテ８６に、側面８７ａ，８７ｂに形成された取り出し口８８ａ，８８ｂに加えて、筐体８７の照射面に３つ目の取り出し口８８ｅを形成してもよい。取り出し口８８ｅは、蓋８８ｆによって開閉される。こうすれば、１つのバッテリ装着部８８について３方向からの取り出しが可能になるので、さらにバッテリの交換がしやすい。
【０１１６】
[第５実施形態]
上記実施形態では、１つの接続部（ソケット３４や電極９０）を持つバッテリ装着部を２つ設ける例で説明したが、図２３に示す電子カセッテ９１のように、１つのバッテリ装着部９２に、２つの接続部（ソケット３４）を設けてもよい。電子カセッテ９１は、バッテリ装着部９２を除いて他の点は電子カセッテ１３と同様であり、同一部分には同一符号を付して説明を省略し、以下相違点について説明する。
【０１１７】
電子カセッテ９１は、筐体９３の平面（照射面９３ａ及び背面９３ｂ）の長辺及び短辺方向に沿って配置される側面９３ｃ，９３ｄが接続する角部に１つのバッテリ装着部９２が設けられている。このバッテリ装着部９２は、１つのバッテリ収納室９２ａと、バッテリ収納室９２ａ内に設けられた２つのソケット３４とからなる。
【０１１８】
バッテリ収納室９２ａのサイズは、１つのバッテリユニット２７を収容できる大きさであり、その形状はバッテリユニット２７の外形に合わせて形成されている。バッテリ収納室９２ａは、側面９３ｃ，９３ｄに形成され、バッテリユニット２７を着脱するための２つの取り出し口９２ｂ，９２ｃを有している。取り出し口９２ｂ，９２ｃの奥には、それぞれソケット３４が設けられている。２つのソケット３４は、側面９３ｃ，９３ｄの２方向からバッテリユニット２７の着脱ができるように、互いにほぼ直交する向きに配置されている。
【０１１９】
また、バッテリ収納室９２ａは、コネクタ３１が、各ソケット３４のそれぞれと接続された装着状態のとき、バッテリユニット２７の外面が筐体９３の外面から突出しない状態でバッテリユニット２７を収容可能な大きさを有する。
【０１２０】
電子カセッテ９１のように、１つのバッテリ装着部９２に２つのソケット３４を設け、直交する２つの側面９３ｃ，９３ｄに取り出し口９２ｂ，９２ｃを設ける形態でも、電子カセッテ９１の撮影台への取り付け姿勢（縦姿勢及び横姿勢）に関わらず、バッテリユニット２７の取り出し口９２ｂ，９２ｃのいずれかが撮影台のトレイ２１（図３）やホルダ６２（図１０）の開口部から外部に露呈される。
【０１２１】
このため、バッテリユニット２７をバッテリ装着部９２に装着する際、取り付け姿勢によって、バッテリ収納室９２ａ内の異なる向きの２つのソケット３４を使い分けることで、電子カセッテ９１を撮影台に取り付けた状態で、バッテリユニット２７を容易に交換することができる。また、取り出し口９２ｂ，９２ｃが複数有り、バッテリユニット２７の着脱が直交する２方向から可能であるため、撮影台に取り付けずに電子カセッテ９１を使用する場合においても、どちらかの取り出し口を使用できる可能性が高いので、バッテリユニット２７の交換がしやすい。
【０１２２】
さらに、電子カセッテ９１は、１つのバッテリユニット２７を収納可能なバッテリ装着部９２を１つだけ設けているので、電子カセッテ１３のように複数のバッテリ装着部を設ける場合と比べて、バッテリ装着部の数が少ない分、筐体内の他の内蔵部品の収容スペースへの圧迫が少ない。
【０１２３】
また、図２４に示す電子カセッテ９６のバッテリ装着部９７のように、取り出し口を開口ではなく切り欠きで形成してもよい。バッテリ装着部９７は、筐体９８の角部において、照射面９８ａ及び側面９８ｃ，９８ｄの一部を切り欠いた切り欠き９７ａによって、バッテリ収納室と取り出し口が構成される。電子カセッテ９６は、バッテリ収納室と取り出し口が切り欠き９７ａで形成される点を除いて、電子カセッテ９１と同様であり、２つのソケット３４を使い分けることで２つの側面９８ｃ，９８ｄからバッテリユニット２７の着脱が可能である。
【０１２４】
なお、バッテリ装着部９７の切り欠き９７ａは、照射面９８ａ及び２つの側面９８ｃ，９８ｄの３面を切り欠いた形状に限らず、背面９８ｂ及び２つの側面９８ｃ，９８ｄの３面、あるいは２つの側面９８ｃ，９８ｄの２面だけを切り欠いた形状でもよい。また、上記第１〜第５実施形態の各電子カセッテのバッテリ装着部を、バッテリ装着部９７のように切り欠きで形成してもよい。
【０１２５】
[第６実施形態]
また、図２５に示す電子カセッテ１０１のように、筐体１０２の平面（照射面１０２ａ及び背面１０２ｂ）の四辺のうちの一辺の両端部にバッテリ装着部１０３，１０４を設けてもよい。２つのバッテリ装着部１０３，１０４は、筐体１０２の平面の長辺に沿った１つの側面１０２ｃの両端に位置する角部に形成されている。各バッテリ装着部１０３，１０４の取り出し口１０３ａ，１０４ａは、ともに１つの側面１０２ｃに形成されている。
【０１２６】
電子カセッテ１０１は、平面の一辺の両端部に２つのバッテリ装着部１０３，１０４を設ける点では、電子カセッテ７０（図１８）と同じであるが、電子カセッテ７０は、２つのバッテリ装着部７１，７２のソケット３４の向きが異なるのに対して、電子カセッテ１０１は、バッテリ装着部１０３，１０４のそれぞれに設けたソケット３４の向きが同じである点で相違する。すなわち、電子カセッテ１０１は、２つのバッテリ装着部１０３，１０４の着脱方向が同じであり、バッテリユニット２７を異なる方向から着脱することはできない。
【０１２７】
しかし、２つのバッテリ装着部１０３，１０４は、側面１０２ｃの両端部にそれぞれの取り出し口１０３ａ，１０４ａが設けられているので、従来の特許文献４に記載の電子カセッテと比較して、ポジショニング後におけるバッテリユニット２７の交換がしやすい。というのも、特許文献４に記載の電子カセッテは、筐体の平面の一辺の中央部に近接して２つの取り出し口が形成されており、２つの取り出し口の間隔は狭く両者は実質的には一箇所に設けられているに等しい。そのため、一方の取り出し口が被検者の体などによって塞がれた場合には、他方も塞がってしまう可能性が高く、一方が使えないときに他方が使える可能性は低い。
【０１２８】
これに対して、電子カセッテ１０１は、２つのバッテリ装着部１０３，１０４の取り出し口１０３ａ，１０４ａは、側面１０２ｃの両端部に配置されているので、各取り出し口１０３ａ，１０４ａの間隔は、筐体の一辺の長さに近い距離だけ空いている。そのため、被検者と電子カセッテ１０１をポジショニングした状態において、被検者Ｈの体によって一方の取り出し口が塞がれてしまった場合でも、他方の取り出し口は塞がっていない可能性が高く、特許文献４に記載の電子カセッテと比べれば、一方が使えないときに他方が使える可能性が高い。
【０１２９】
このように、電子カセッテ１０１は、特許文献４に記載の電子カセッテと比較して、ポジショニングした姿勢を崩すことなくバッテリユニットの交換がしやすい。そして、本実施形態の電子カセッテ１０１と、異なる２方向からバッテリユニットの着脱が可能な上記各実施形態の電子カセッテとは、特許文献４に記載の電子カセッテとの対比において、ポジショニングした姿勢を崩すことなくバッテリユニットの交換がしやすいという同じ技術的意義を有する。
【０１３０】
本発明の電子カセッテのバッテリ装着部の形態は、上記実施形態に限らず、種々の変形が可能である。例えば、上記第１〜第４及び第６の各実施形態では、バッテリ装着部を２つ設けた例で説明したが３つ以上でもよい。また、第４実施形態の電子カセッテ８６（図２２）に示したとおり、バッテリ装着部の取り出し口は、筐体の側面に限らず、照射面や背面に形成されていてもよい。また、第５実施形態の電子カセッテ９１，９６では、１つのバッテリ装着部に着脱方向が異なる２つの接続部（ソケット３４や電極９０）を設けた例を示したが、接続部は３つ以上設けられていてもよい。また、上記実施形態では、筐体の平面（照射面及び背面）が長方形の例で説明したが、平面は正方形でもよい。さらに、上記実施形態に下記実施形態に示す構成を加えてもよい。
【０１３１】
[第７実施形態]
図２６に示す電子カセッテ１１１は、２つのバッテリ装着部２８，２９に装着された２つのバッテリユニット２７のうち、ユーザが指定した方のバッテリユニット２７を優先的に使用させるための設定をする優先設定機能を備えたものである。電子カセッテ１１１は、優先設定機能の他は、第１実施形態の電子カセッテ１３と同様であるので、同一部分には同一符号を付し説明を省略する。
【０１３２】
電子カセッテ１１１には、２つのバッテリ装着部２８，２９に対応して２つの指定スイッチ１１２，１１３が設けられている。指定スイッチ１１２，１１３の操作ボタン１１２ａ，１１３ａは、それぞれバッテリ装着部２８，２９の取り出し口２８ｂ，２９ｂの近傍に配置されている。操作ボタン１１２ａ，１１３ａのいずれかが押下操作されると、指定スイッチ１１２，１１３のうち操作された方がオンして、その操作信号が制御部５３に出力される。制御部５３は、指定スイッチ１１２，１１３のいずれかから操作信号が入力されると、電源回路５２のセレクタ５２ａを切り替えて、バッテリ装着部２８，２９のうち操作信号の入力元（指定スイッチ１１２，１１３）に対応するバッテリ装着部２８，２９のいずれかの給電経路を選択する。このように、制御部５３によるバッテリユニット２７の優先設定が行われる。制御部５３は、ユーザの指定操作により指定スイッチ１１２，１１３から入力される操作信号を受け付けて、優先設定を行う優先設定手段である。
【０１３３】
具体的には、指定スイッチ１１２からの操作信号が入力された場合には、制御部５３は、バッテリ装着部２８に装着されているバッテリユニット２７が優先的に使用されるように、セレクタ５２ａをバッテリ装着部２８からの給電経路へ切り替えることにより、優先設定を行う。一方、指定スイッチ１１３からの操作信号が入力された場合には、制御部５３は、バッテリ装着部２９に装着されているバッテリユニット２７が優先的に使用されるように、セレクタ５２ａをバッテリ装着部２９からの給電経路へ切り替えることにより、優先設定を行う。これにより、選択された給電経路に対応するバッテリ装着部２８，２９のバッテリユニット２７が優先的に使用される。
【０１３４】
優先設定がなされると、指定操作がされたバッテリ装着部に対応するインジケータ４０（図３参照）のランプが点灯して、その旨が表示される。電子カセッテ１１１に設けられたインジケータ４０で優先指定の表示を行うことにより、どちらのバッテリ装着部２８，２９のバッテリユニット２７が使用されているかの確認がしやすい。なお、インジケータ４０に加えて、コンソール１４のモニタ１５（図１参照）に表示してもよい。
【０１３５】
このような優先設定機能は、例えば、次のように使用される。ポジショニングの状態によって、２つのバッテリ装着部２８，２９のうち、一方のバッテリ装着部２８のみがバッテリユニット２７の取り出し（バッテリ交換）が可能な場合、指定スイッチ１１２を操作してバッテリ装着部２８を優先指定する。指定操作に応じて制御部５３がセレクタ５２ａを通じて優先設定を行う。これにより、交換が可能なバッテリユニット２７が先に消費されるので、もう１つのバッテリユニット２７の容量をホットスワップ用として残しておくことができる。
【０１３６】
図２７に示す電子カセッテ１１６は、上記優先設定機能の指定操作の方法が異なる他は、電子カセッテ１１１と同一である。電子カセッテ１１６は、電子カセッテ１１１のように優先指定操作を行うための専用の操作部材（操作ボタン１１２ａ，１１３ａ）を有しておらず、バッテリユニット２７の装着位置を変更することにより指定操作が行われる。
【０１３７】
電子カセッテ１１６のバッテリ装着部２８，２９は、バッテリユニット２７の装着位置として、取り出し口２８ｂ，２９ｂからの押し込み量が異なる、第１位置Ｐ１及び第２位置Ｐ２の２つの装着位置を備えている。第２位置Ｐ２は、第１位置Ｐ１よりも押し込み量が少なく、バッテリユニット２７が第２位置Ｐ２にあるときは、その一部が取り出し口２８ｂ，２９ｂから突出する。
【０１３８】
バッテリ装着部２８，２９は、バッテリユニット２７との係合により、装着位置を各位置Ｐ１，Ｐ２で固定するラッチ機構１１７を備えている。ラッチ機構１１７は、バッテリユニット２７を取り出し口２８ｂ，２９ｂに向けて付勢するバネを有しており、バネの付勢に抗してバッテリユニット２７を各装着位置Ｐ１，Ｐ２でバッテリユニット２７と係合して固定する。ラッチ機構１１７は、例えば、取り出し口２８ｂ，２９ｂからバッテリユニット２７を押し込むと、第１位置Ｐ１で固定し、もう１回押し込み操作すると、第２位置Ｐ２で固定し、さらにもう１回押し込み操作すると、係合が解除されてバッテリユニット２７の取り出しが可能になる。
【０１３９】
優先指定操作は、バッテリユニット２７の装着位置を第２位置にすることにより行われる。バッテリ装着部２８，２９には、指定スイッチ１１８が設けられている。指定スイッチ１１８は、例えば、フォトセンサやマイクロスイッチからなり、バッテリユニット２７が第２位置Ｐ２にあるか否かを検出して、第２位置Ｐ２にあると検出したときにオンする。指定スイッチ１１８がオンすると制御部５３に対して操作信号を出力する。制御部５３は、入力された操作信号に応じてセレクタ５２ａで給電経路を切り替えることにより、優先設定を行う。
【０１４０】
バッテリユニット２７の装着位置を第２位置Ｐ２にすることにより優先指定操作がなされるが、優先指定の表示は、インジケータ４０（図３参照）によってなされる。優先指定の表示については、図２８に示すように、バッテリユニット２７に設けたインジケータ１１９で行ってもよい。第２位置Ｐ２では、バッテリユニット２７の一部は取り出し口から突出して外部に露呈される。インジケータ１１９はこの露呈部分に設けられており、バッテリユニット２７を第２位置Ｐ２にする優先指定操作がなされると、点灯する。インジケータ１１９の点灯により、優先指定操作がなされたことが報知される。
【０１４１】
優先指定操作について、本例では、電子カセッテに設けた操作ボタンや、電子カセッテに装着されるバッテリユニット２７の装着位置の変更によって行う例で説明したが、コンソール１４（図１参照）やリモコンなどの外部装置から優先指定操作が行えるようにしてもよい。コンソール１４で行う場合には、モニタ１５に表示される操作画面に、電子カセッテが有する２つのバッテリ装着部のいずれかを指定するための指定画面が表示される。指定画面において優先指定操作が行われると、指定されたバッテリ装着部の識別情報を含む操作信号がコンソール１４から電子カセッテに送信される。制御部５３は、無線通信部５９を介してコンソール１４からの操作信号の入力を受け付けて、セレクタ５２ａを通じて優先設定を行う。コンソール１４などの外部装置からの優先指定操作は、電子カセッテの操作ボタンやバッテリユニット２７の装着位置の変更による優先指定操作と併用してもよい。
【０１４２】
[第８実施形態]
図２９に示す電子カセッテ１２１のように、バッテリ装着部２８，２９に着脱自在に装着されるバッテリユニット１２２の他に、筐体に内蔵される予備バッテリ１２３を設けてもよい。また、無線通信部１２４を筐体に設ける代わりに、バッテリユニット１２２内に設けてもよい。電子カセッテ１２１は、予備バッテリ１２３を有する点、無線通信部１２４がバッテリユニット１２２内に設けられている点を除いて、第１実施形態の電子カセッテ１３と同様であるので、同一部品には同一符号を付し説明を省略する。以下、相違点を説明する。
【０１４３】
予備バッテリ１２３は、バッテリ装着部２８，２９にバッテリユニット１２２が装着されていないとき、あるいは、バッテリユニット１２２が残量切れになったときに、バッテリユニット１２２の代わりに、電子カセッテ１３内の各部に電力を供給する。これにより、起動中のバッテリユニット１２２の交換（ホットスワップ）を可能にしている。
【０１４４】
予備バッテリ１２３は、二次電池やキャパシタで構成されており、セレクタ５２ａの下流側の給電経路上に接続されている。これにより、予備バッテリ１２３は、バッテリ装着部２８，２９にバッテリユニット１２２が装着されている間は、バッテリユニット１２２からの給電により充電されるとともに、バッテリ装着部２８，２９からバッテリユニット１２２が取り外されたり、バッテリユニット１２２が残量切れになった場合には、自動的に予備バッテリ１２３からの電力供給に切り替わる。ホットスワップのみを目的として予備バッテリ１２３を設ける場合には、予備バッテリ１２３の容量としては、バッテリユニット１２２を交換するまでの間、電子カセッテ１３の動作を保証するのに必要な容量があればよい。
【０１４５】
無線通信部１２４は、上記無線通信部５９（図８）と同様に、電波を送受信するアンテナや通信回路からなる。バッテリ装着部２８，２９は、筐体の側面にバッテリユニット１２２の取り出し口が形成されているため、バッテリユニット１２２の外周面の一部は取り出し口から露呈し、図３及び図１０で示したように、電子カセッテ１２１を撮影台に取り付けた場合でも、取り出し口は撮影台から外部に露呈した状態となる。外部に露呈されるバッテリユニット１２２に無線通信部１２４を設けることで、筐体の内部に設ける場合と比べて、電波を遮蔽する遮蔽物による悪影響が防止され、良好な通信状態を確保することができる。
【０１４６】
[第９実施形態]
図３０に示すように、バッテリユニット１２６にインジケータ１２７を設けてもよい。インジケータ１２７は、上記インジケータ４０と同様にバッテリユニット１２６の残量情報や残量切れのエラーメッセージを報知する。インジケータ１２７は、インジケータ４０と同様に複数個のＬＥＤからなるインジケータランプや液晶パネルなどで構成される。ランプや液晶パネルの代わりに、音声によってメッセージを表示するスピーカを設けてもよい。スピーカの場合には、例えばブザー音のリズムを変えるなどにより複数種類のメッセージを報知する。バッテリユニット１２６にインジケータ１２７を設けることによって、撮影台に取り付けた場合でも、インジケータ１２７が撮影台の奥に隠れてしまうことがなくなるので、インジケータ１２７の良好な視認性を確保できる。
【０１４７】
[第１０実施形態]
図３１及び図３２に示す電子カセッテ１３１のように、バッテリ装着部１３２の取り出し口１３２ａに、一対の蓋部材１３３ａ，１３３ｂからなる観音開き状の蓋１３３を設けてもよい。電子カセッテ１３１は、蓋１３３を除いて、電子カセッテ１３と同様であり、バッテリ装着部１３２は、バッテリ装着部２８，２９と同様に、筐体１３４の側面１３４ａに形成された取り出し口１３２ａを有し、取り出し口１３２ａの奥に、ソケット３４が設けられた収納室１３２ｂを有している。
【０１４８】
蓋部材１３３ａ，１３３ｂは、それぞれ取り出し口１３２ａの両側の開口縁において回動可能に軸支されており、取り出し口１３２ａを塞ぐ閉じ位置と、取り出し口１３２ａの内部に向かって回動し、取り出し口１３２ａを開く開放位置との間で開閉自在となっている。また、蓋部材１３３ａ，１３３ｂは、図示しない付勢部材によって閉じ位置に付勢されている。
【０１４９】
バッテリ装着部１３２にバッテリユニット２７を装着する場合、図３２（Ａ）に示すように、コネクタ３１の端面で蓋部材１３３ａ，１３３ｂを押圧すると、付勢部材の付勢に抗して蓋部材１３３ａ，１３３ｂが閉じ位置から開放位置に回動する（図３２（Ｂ）に示す状態）。これにより、バッテリユニット２７が取り出し口１３２ａから収納室１３２ｂ内に進入して、コネクタ３１とソケット３４が接続し、バッテリユニット２７は収納室１３２ｂに収容される（図３２（Ｃ）に示す状態）。
【０１５０】
バッテリ装着部１３２は、バッテリユニット２７が装着されていない場合、蓋部材１３３ａ，１３３ｂによって取り出し口１３２ａが塞がれるため、収納室１３２ｂ内への塵埃などの進入を防ぐことができる。蓋１３３は、バッテリ装着部が２箇所ある場合において特に有効である。というのは、バッテリ装着部が２箇所ある場合には、一方のバッテリ装着部のみにバッテリユニット２７が装着されて、他方のバッテリ装着部が空の状態（バッテリユニット２７が装着されていない状態）で電子カセッテが使用されることもある。このような場合に、蓋１３３を設けることによって空の状態のバッテリ装着部への塵埃の進入を防止できるからである。
【０１５１】
しかも、蓋１３３は、バッテリユニット２７を収納室１３２ｂ内に向けて押し込むと開き、バッテリユニット２７を取り出すと閉まるというように、バッテリユニット２７の着脱操作に連動して開閉するので、図２２に示すような形態の蓋と比べて、蓋の開閉専用の操作が不要となり、操作性もよい。
【０１５２】
[第１１実施形態]
また、図３３に示す電子カセッテ１３６のバッテリ装着部１３７のように、バッテリユニット１３８の着脱方向をガイドするガイド部を設けてもよい。バッテリユニット１３８の左右方向の両側面には、着脱方向に沿って延びるガイド片１３８ａ，１３８ｂが設けられており、バッテリ装着部１３７には、ガイド片１３８ａ，１３８ｂが係合するガイド溝１３７ａ，１３７ｂが形成されている。ガイド片１３８ａ，１３８ｂ及びガイド溝１３７ａ，１３７ｂの係合によってガイド溝１３７ａ，１３７ｂの方向に沿ってバッテリユニット１３８の移動方向がガイドされる。なお、バッテリ装着部にガイド片を設け、バッテリユニットにガイド溝を設けてもよい。また、ガイド片及びガイド溝は、バッテリユニットの片面だけに設けてもよい。
【０１５３】
本発明は、上記実施形態に限定されるものではなく、発明の要旨を逸脱しない範囲で種々変形して実施することが可能である。上記各実施形態の全部又は一部を組み合わせてもよい。また、本発明は、放射線としてＸ線を例に説明したが、本発明は、γ線など、Ｘ線以外の放射線を使用するものでもよい。
【０１５４】
また、以上で説明した実施形態によれば、以下の発明も把握することができる。
【０１５５】
［付記項１］
被検体を透過した放射線の照射を受けて放射線画像を検出する検出部と、
前記検出部を収容し、前記放射線の照射を受ける平面の形状が略矩形である筐体と、
前記筐体に設けられ、前記検出部へ電力を供給するバッテリユニットが着脱自在に装着される第１及び第２の少なくとも２つのバッテリ装着部であり、前記バッテリユニットを収納し、前記バッテリユニットを着脱するための取り出し口を有するバッテリ収納部と、前記バッテリ収納部に収納された前記バッテリユニットと電気的に接続される接続部とをそれぞれ有する第１及び第２のバッテリ装着部と、
前記第１及び第２のバッテリ装着部に装着された前記２つのバッテリユニットのうち、操作信号の入力により指定されたバッテリユニットが優先的に使用されるように設定を行う優先設定手段とを備えていることを特徴とする可搬型放射線画像検出装置。
［付記項２］
前記優先設定手段により設定されたバッテリユニットを表示するインジケータを備えていることを特徴とする付記項１記載の可搬型放射線画像検出装置。
［付記項３］
前記優先設定手段に対して前記操作信号を入力するための操作部材が筐体に設けられていることを特徴とする付記項１又は２記載の可搬型放射線画像検出装置。
［付記項４］
前記第１及び第２のバッテリ装着部はそれぞれ、前記バッテリユニットの前記第１及び第２の取り出し口からの押し込み量が異なる第１及び第２の２つの装着位置で前記バッテリユニットとの電気的な接続が可能であり、
前記第２の装着位置は、前記第１の装着位置に比べて押し込み量が少なく、前記バッテリユニットの一部を前記取り出し口から突出させた状態で装着される装着位置であり、
前記バッテリユニットが前記第２の装着位置にあるときにオンし、前記第１の装着位置にあるときにオフする指定スイッチを有しており、前記優先設定手段は、前記指定スイッチからの操作信号により設定を行うことを特徴とする付記項１又は２記載の可搬型放射線画像検出装置。
［付記項５］
前記付記項２を引用する付記項４記載の可搬型放射線画像検出装置において、
前記インジケータは、前記バッテリユニットの外周であり、前記バッテリユニットが前記第２の装着位置にあるときに前記取り出し口から突出して外部に露呈される露呈部分に設けられていることを特徴とする可搬型放射線画像検出装置。
［付記項６］
前記優先設定手段は、外部装置から入力される操作信号により設定を行うことを特徴とする付記項１〜５のいずれか１項に記載の可搬型画像検出装置。
【符号の説明】
【０１５６】
１０  Ｘ線撮影システム
１２  臥位撮影台
１３，７０，７３，７６，８０，８６，９１，９６，１０１，１１１，１１６，１２１，１３１，１３６  電子カセッテ（可搬型放射線画像検出装置）
２１  トレイ
２６，８７  筐体
２６ａ，２６ｂ，２６ｃ，２６ｄ  側面
２７，７７，８４，８９  バッテリユニット
２８，２９，７１，７２，７９，７８，８１，８２，８８  バッテリ装着部
２８ａ，２９ａ  収納室
２８ｂ，２９ｂ，８８ａ，８８ｂ，９２ｂ，９２ｃ，１０４ａ，１３２ａ  取り出し口
３０  ＦＰＤ（検出部）
３４  ソケット（接続部）
４０，１１９，１２７  インジケータ
４１，１１７  ラッチ機構
４１ａ  バネ（付勢手段）
４１ｂ  操作ボタン（解除操作部材）
５３  制御部（優先設定手段）
５９，１２４  無線通信部
６０  立位撮影台
８８ｃ，８８ｄ，８８ｆ，１３３  蓋
９０  電極（接続部）
９２，９３，９８  指定スイッチ
９２ａ，９３ａ  操作ボタン
１２３  予備バッテリ
【図１】
2012063341.tif 000003
【図２】
2012063341.tif 000004
【図３】
2012063341.tif 000005
【図４】
2012063341.tif 000006
【図５】
2012063341.tif 000007
【図６】
2012063341.tif 000008
【図７】
2012063341.tif 000009
【図８】
2012063341.tif 000010
【図９】
2012063341.tif 000011
【図１０】
2012063341.tif 000012
【図１１】
2012063341.tif 000013
【図１２】
2012063341.tif 000014
【図１３】
2012063341.tif 000015
【図１４】
2012063341.tif 000016
【図１５】
2012063341.tif 000017
【図１６】
2012063341.tif 000018
【図１７】
2012063341.tif 000019
【図１８】
2012063341.tif 000020
【図１９】
2012063341.tif 000021
【図２０】
2012063341.tif 000022
【図２１】
2012063341.tif 000023
【図２２】
2012063341.tif 000024
【図２３】
2012063341.tif 000025
【図２４】
2012063341.tif 000026
【図２５】
2012063341.tif 000027
【図２６】
2012063341.tif 000028
【図２７】
2012063341.tif 000029
【図２８】
2012063341.tif 000030
【図２９】
2012063341.tif 000031
【図３０】
2012063341.tif 000032
【図３１】
2012063341.tif 000033
【図３２】
2012063341.tif 000034
【図３３】
2012063341.tif 000035